(57)【要約】  本発明によるフレキシブルウェアラブルデバイスは、フレキシブル本体と、スピーカと、イヤピースと、センサと、制御ユニットとを含み、フレキシブル本体は、それ自身の曲げ角度が予め設定した角度以上である装着状態にあり得、それ自身の曲げ角度が予め設定した角度未満である平に展開する状態にあり得、センサは、フレキシブル本体が装着状態または平に展開する状態にあることを感知するように構成され、制御ユニットは、センサが装着状態を感知する時、イヤピースをオフにするように制御しながら、スピーカをオンにしまたはデフォルトの発音装置とするように制御し、センサが平に展開する状態を感知する時、イヤピースをオンにしまたはデフォルトの発音装置とするように制御しながら、スピーカをオフにするように制御するように構成される。【選択図】図３
2019508782.tif 000002
【特許請求の範囲】
【請求項１】
フレキシブルウェアラブルデバイスであって、
前記フレキシブルウェアラブルデバイスは、フレキシブル本体と、スピーカと、イヤピースと、センサと、制御ユニットとを含み、
前記フレキシブル本体は、それ自身の曲げ角度が予め設定した角度以上である装着状態にあり得、及びそれ自身の曲げ角度が前記予め設定した角度未満である平に展開する状態にあり得、
前記センサは、前記フレキシブル本体が装着状態または平に展開する状態にあることを感知するように構成され、
前記制御ユニットは、前記センサが前記装着状態を感知する時、前記イヤピースをオフにするように制御しながら、前記スピーカをオンにしまたはデフォルトの発音装置とするように制御し、前記センサが前記平に展開する状態を感知する時、前記イヤピースをオンにしまたはデフォルトの発音装置とするように制御しながら、前記スピーカをオフにするように制御するように構成されることを特徴とする、フレキシブルウェアラブルデバイス。
【請求項２】
前記センサは、ユーザの心拍数を感知するように構成される心拍センサを含み、
前記心拍センサは、ユーザの心拍を感知した時、前記フレキシブル本体が装着状態にあり、ユーザの心拍を感知しなかった時、前記フレキシブル本体が平に展開する状態にあることを特徴とする、請求項１に記載のフレキシブルウェアラブルデバイス。
【請求項３】
前記フレキシブル本体は、対向するように設けられる第１表面及び第２表面を含み、
前記フレキシブル本体は装着状態にある時、前記第１表面が前記フレキシブル本体の外表面であり、前記第２表面が前記フレキシブル本体の内表面であり、
前記心拍センサが前記フレキシブル本体の前記第２表面に設けられることを特徴とする、請求項２に記載のフレキシブルウェアラブルデバイス。
【請求項４】
前記フレキシブル本体は、対向するように設けられる第１表面及び第２表面を含み、
前記フレキシブル本体は装着状態にある時、前記第１表面が前記フレキシブル本体の外表面であり、前記第２表面が前記フレキシブル本体の内表面であり、
前記フレキシブル本体は、互いにヒンジ接続されるように設けられる複数のヒンジ接続体を含み、
各ヒンジ接続体は、隣接するヒンジ接続体に対向して且つ前記第２表面に近接する少なくとも１つの傾斜面を含むことを特徴とする、請求項１に記載のフレキシブルウェアラブルデバイス。
【請求項５】
前記センサは、前記傾斜面に設けられる複数の弾性体を含み、
各弾性体は、前記フレキシブル本体が装着状態にある時、隣接するヒンジ接続体と接触し、前記フレキシブル本体が平に展開する状態にある時、隣接するヒンジ接続体との間に間隔があり、
前記センサは、前記弾性体を介して、前記フレキシブル本体が平に展開する状態にあるか、装着状態にあるかを感知することを特徴とする、請求項４に記載のフレキシブルウェアラブルデバイス。
【請求項６】
前記センサは、前記フレキシブル本体に設けられる圧電変換器を含み、
前記圧電変換器によって感知された圧力が予め設定した圧力以上である時、前記フレキシブル本体は装着状態にあり、
前記圧電変換器によって感知された圧力が前記予め設定した圧力未満である時、前記フレキシブル本体は平に展開する状態にあることを特徴とする、請求項１に記載のフレキシブルウェアラブルデバイス。
【請求項７】
前記圧電変換器は、前記フレキシブル本体が前記装着状態及び平に展開する状態が変化する時に変形する部位に設けられることを特徴とする、請求項６に記載のフレキシブルウェアラブルデバイス。
【請求項８】
前記センサは、前記フレキシブル本体に設けられる薄膜抵抗を含み、
前記薄膜抵抗の抵抗値の変化が予め設定した閾値以上である時、前記フレキシブル本体は装着状態にあり、
前記薄膜抵抗の抵抗値の変化が前記予め設定した閾値未満である時、前記フレキシブル本体は平に展開する状態にあることを特徴とする、請求項１に記載のフレキシブルウェアラブルデバイス。
【請求項９】
前記フレキシブル本体は、対向するように設けられる第１表面及び第２表面を含み、
前記フレキシブル本体は装着状態にある時、前記第１表面が前記フレキシブル本体の外表面であり、前記第２表面が前記フレキシブル本体の内表面であり、
前記薄膜抵抗は、前記装着状態及び平に展開する状態が変化する時に前記第１表面が変形する部位に設けられることを特徴とする、請求項８に記載のフレキシブルウェアラブルデバイス。
【請求項１０】
前記フレキシブル本体は、対向するように設けられる第１表面及び第２表面を含み、
前記フレキシブル本体は装着状態にある時、前記第１表面が前記フレキシブル本体の外表面であり、前記第２表面が前記フレキシブル本体の内表面であり、
前記センサは、前記第２表面に対する前記第１表面の変位量を感知するように構成される変位センサを含むことを特徴とする、請求項１に記載のフレキシブルウェアラブルデバイス。
【請求項１１】
前記変位センサは、リールと、スケーリング部と、センシング部とを含み、
前記リールは、前記フレキシブル本体の端部に設けられ、
前記スケーリング部の一部分は、前記第１表面に設けられ、
前記スケーリング部の他部分は、前記フレキシブル本体の変形に伴ってリールに巻かれ又はリールから展開され、
前記センシング部は、前記スケーリング部が前記リールから展開される長さを感知するように構成され、
前記長さが予め設定した長さ以上の時、前記フレキシブル本体は装着状態にあり、前記長さが前記予め設定した長さ未満の時、前記フレキシブル本体は平に展開する状態にあることを特徴とする、請求項１０に記載のフレキシブルウェアラブルデバイス。
【請求項１２】
前記予め設定した角度は、前記フレキシブル本体の中央部に対して、前記フレキシブル本体の一端部が前記平に展開する状態における位置と前記装着状態における位置とのなす角度であり、
前記予め設定した角度は、３０度以上であることを特徴とする、請求項１に記載のフレキシブルウェアラブルデバイス。
【請求項１３】
前記予め設定した角度は、前記フレキシブル本体の中央部に対して、前記装着状態において前記フレキシブル本体の一端部と前記フレキシブル本体の他端部とのなす角度であり、
前記予め設定した角度は、９０度以上であることを特徴とする、請求項１に記載のフレキシブルウェアラブルデバイス。
【発明の詳細な説明】
【技術分野】
【０００１】
本発明は、電子技術の分野に関し、特に、フレキシブルウェアラブルデバイスに関する。
【背景技術】
【０００２】
近年、ウェアラブルスマートデバイス、特にフレキシブルウェアラブルデバイスは、ますます多くの研究および応用を引きつけている。フレキシブル携帯電話のようなフレキシブルウェアラブルデバイスは、使用者の手首に装着することができ、手首から取り外すこともできるため、携帯しやすくなる。フレキシブル携帯電話が手首に装着される場合、ユーザがフレキシブル携帯電話によって電話をかける時、通常、手首に装着されているフレキシブル携帯電話を上げるために、ユーザが手首を上げる。ユーザが、電話に応答する時にフレキシブル携帯電話を耳の傍に置き、話す時にフレキシブル携帯電話を口の傍に移動させる。通話の全ての過程において、ユーザは頻繁に手首を往復して移動させる必要があるので、面倒である。
【発明の概要】
【０００３】
本発明の実施形態は、解決しようとする課題がフレキシブルウェアラブルデバイスを提供することにある。前記フレキシブルウェアラブルデバイスは、フレキシブル本体と、スピーカと、イヤピースと、センサと、制御ユニットとを含み、前記フレキシブル本体は、それ自身の曲げ角度が予め設定した角度以上である装着状態にあり得、それ自身の曲げ角度が前記予め設定した角度未満である平に展開する状態にあり得、前記センサは、前記フレキシブル本体が装着状態または平に展開する状態にあることを感知するように構成され、前記制御ユニットは、前記センサが前記装着状態を感知する時、前記イヤピースをオフにするように制御しながら、前記スピーカをオンにしまたはデフォルトの発音装置とするように制御し、前記センサが前記平に展開する状態を感知する時、前記イヤピースをオンにしまたはデフォルトの発音装置とするように制御しながら、前記スピーカをオフにするように制御するように構成される。
【０００４】
前記フレキシブル本体が装着状態にある時、前記スピーカは、比較的高いデシベルレベルで音声を出力するので、ユーザが前記フレキシブルウェアラブルデバイスを使用する時、前記フレキシブルウェアラブルデバイスを耳の傍に置く必要せず、頻繁に前記フレキシブルウェアラブルデバイスを移動させる必要がないため、比較的に使用しやすい。さらに、前記イヤピースをオフにするため、前記イヤピースが前記フレキシブルウェアラブルデバイスの他の電子素子への干渉をさらに低減させて、通信中の前記フレキシブルウェアラブルデバイスの通話品質を改善させる。
【０００５】
本発明の実施形態の技術的手段をより明確に説明するために、実施形態の説明で使用される添付図面を簡単に説明する。明らかに、以下に記載する添付の図面は、本発明のいくつかの実施形態のためのものに過ぎず、当業者は、創造的な努力なしにこれらの添付図面に従って他の添付図面を得ることができる。
【図面の簡単な説明】
【０００６】
【図１】図１は、本発明の好ましい実施形態のフレキシブルウェアラブルデバイスが装着状態にある構造概略図である。
【図２】図２は、本発明の好ましい実施形態のフレキシブルウェアラブルデバイスが平に展開する状態にある構造概略図である。
【図３】図３は、本発明の好ましい実施形態のフレキシブルウェアラブルデバイスにおける電子素子の構造概略図である。
【図４】図４は、本発明の一つの好ましい実施形態のフレキシブルウェアラブルデバイスの構造概略図であり、ここで、センサが心拍センサを含む。
【図５】図５は、本発明の一つの好ましい実施形態のフレキシブルウェアラブルデバイスのフレキシブル本体が平に展開する状態にある構造概略図である。
【図６】図６は、図５におけるＩ部分の拡大概略図である。
【図７】図７は、図５のフレキシブル本体が装着状態にある構造概略図であり、図面においてフレキシブル本体の一部のみで示す。
【図８】図８は、図５におけるＩＩ部分の拡大概略図である。
【図９】図９は、本発明の一つの好ましい実施形態のフレキシブルウェアラブルデバイスが平に展開する状態にある構造概略図であり、ここで、センサが圧電変換器を含む。
【図１０】図１０は、図９のフレキシブルウェアラブルデバイスが装着状態にある構造概略図であり、図面においてフレキシブルウェアラブルデバイスの一部のみで示す。
【図１１】図１１は、本発明の一つの好ましい実施形態のセンサが薄膜抵抗を含むフレキシブルウェアラブルデバイスが平に展開する状態にある構造概略図である。
【図１２】図１２は、図１１のフレキシブルウェアラブルデバイスが装着状態にある構造概略図であり、図面においてフレキシブルウェアラブルデバイスの一部のみで示す。
【図１３】図１３は、本発明の一つの好ましい実施形態のセンサが変位センサを含むフレキシブルウェアラブルデバイスが平に展開する状態にある構造概略図である。
【図１４】図１４は、図１３のフレキシブルウェアラブルデバイスが装着状態にある構造概略図であり、図面においてフレキシブルウェアラブルデバイスの一部のみで示す。
【発明を実施するための形態】
【０００７】
以下に、本発明の実施形態の添付の図面を参照しながら、本発明の実施形態の技術的手段を、明確かつ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【０００８】
なお、本発明の実施形態で使用される用語は、特定の実施形態を説明するためのものに過ぎず、本発明を制限するものではない。本発明の実施形態及び特許請求の範囲で使用される単数形の「１つ」及び「当該」は、別段の他の意味の明記がない限り、複数形も含むように意図されている。本明細書中で使用される「及び/又は」という用語は、１つまたは複数の関連する列挙されたアイテムの任意のまたはすべての可能な組合せを指し、包含すると理解すべきである。また、本発明の明細書、特許請求の範囲、および上述添付図面における「第１」、「第２」、「第３」および「第４」のような用語は、異なるオブジェクトを区別するように使用されるが、特定の順序を説明するように使用されるものではない。さらに、用語「含む」及び「有する」、それらの変形のいずれも、非排他的な包含を及ぶことが意図される。一連のステップまたはユニットを含むプロセス、方法、システム、製品またはデバイスは、列挙されたステップまたはユニットに限定されず、選択的に列挙されていないステップまたはユニットをさらに含み、または選択的にプロセス、方法、製品またはデバイスに対する固有の他のステップまたはユニットをさらに含む。
【０００９】
以下に、本発明の実施形態の添付の図面を参照しながら、本発明の実施形態の技術的手段を、明確かつ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【００１０】
図１、図２及び図３を参照すると、図１は、本発明の好ましい実施形態のフレキシブルウェアラブルデバイスが装着状態にある構造概略図であり、図２は、本発明の好ましい実施形態のフレキシブルウェアラブルデバイスが平に展開する状態にある構造概略図であり、図３は、本発明の好ましい実施形態のフレキシブルウェアラブルデバイスにおける電子素子の構造概略図である。上記フレキシブルウェアラブルデバイス１０は、フレキシブル携帯電話などの通信装置とすることができるがこれに限定されず、以下の実施形態においてフレキシブル携帯電話を実施形態として説明する。上記フレキシブルウェアラブルデバイス１０は、フレキシブル本体１００と、マイクロフォン２００と、スピーカ３００と、イヤピース４００と、センサ５００と、制御ユニット６００とを含む。上記フレキシブル本体１００は、それ自身の曲げ角度が予め設定した角度以上である装着状態であってもよく、それ自身の曲げ角度が上記予め設定した角度未満である平に展開する状態であってもよい。上記フレキシブル本体１００は、対向するように設けられる第１端部１１０及び第２端部１２０を含む。上記マイクロフォン２００及びスピーカ３００は、上記第１端部１１０に設けられる。上記イヤピース４００は、上記第２端部１２０に設けられる。上記センサ５００は、上記フレキシブル本体１００が装着状態または平に展開する状態にあることを感知するように構成される。上記制御ユニット６００は、上記センサ５００が上記装着状態を感知する時、上記イヤピース４００をオフにするように制御しながら、上記スピーカ３００をオンにしまたはデフォルトの発音装置とするように制御し、上記センサ５００が上記平に展開する状態を感知する時、上記イヤピース４００をオンにしまたはデフォルトの発音装置とするように制御しながら、上記スピーカ３００をオフにするように制御するように構成される。他の実施形態において、スピーカ３００が、例えばフレキシブルウェアラブルデバイス１０の側面などの別の位置に設けられ得る。なお、フレキシブルウェアラブルデバイス１０は携帯電話ではない場合、マイクロフォン２００を設けなくてもよい。
【００１１】
一つの実施形態において、上記予め設定した角度は、上記フレキシブル本体１００の中央部に対して、上記フレキシブル本体１００の一端部が上記平に展開する状態における位置と上記装着状態における位置とのなす角度である。また、上記予め設定した角度は、３０度以上である。例えば、図１に示す角度αは上記予め設定した角度を表示するものである。
【００１２】
別の実施形態において、上記予め設定した角度は、上記フレキシブル本体１００の中央部に対して、上記装着状態において上記フレキシブル本体１００の一端部と上記フレキシブル本体１００の他端部とのなす角度である。また、上記予め設定した角度は、９０度以上である。例えば、図１に示す角度βは上記予め設定した角度を表示するものである。
【００１３】
以下、上記フレキシブルウェアラブルデバイスは、フレキシブル携帯電話である例を挙げて、上記フレキシブルウェアラブルデバイスの動作原理を具体的に説明する。上記センサ５００が上記装着状態を感知する時、上記制御ユニット６００は、上記イヤピース４００をオフにするように制御しながら、上記スピーカ３００をオンにしまたはデフォルトの発音装置とするように制御する。上記スピーカ３００は、比較的高いデシベルレベルで音声を出力するので、このとき、ユーザが、携帯電話を耳の傍に置く必要がないため、頻繁に手首を移動させる必要がない。上記センサ５００が上記平に展開する状態を感知する時、上記制御ユニット６００は、上記イヤピース４００をオンにしまたはデフォルトの発音装置とするように制御しながら、上記スピーカ３００をオフにするように制御する。上記フレキシブル本体１００が平に展開する状態にある時、ユーザは、上記フレキシブル携帯電話を手に持つことができ、電話をかける時、ユーザは、フレキシブル携帯電話における、イヤピース４００を設ける端部を耳の横に置き、マイクロフォン２００を設ける端部を口の横に置くことができる。
【００１４】
図４を参照すると、図４は、本発明の一つの好ましい実施形態のセンサが心拍センサを含むフレキシブルウェアラブルデバイスの構造概略図である。本実施形態において、上記センサ５００は、ユーザの心拍数を感知する心拍センサ５１０を含む。上記心拍センサ５１０は、ユーザの心拍を感知した時、上記フレキシブル本体１００が装着状態にあり、ユーザの心拍を感知しなかった時、上記フレキシブル本体１００が平に展開する状態にある。
【００１５】
本実施形態において、上記フレキシブル本体１００は、対向するように設けられる第１表面１００ａ及び第２表面１００ｂを含む。上記フレキシブル本体１００は装着状態にある時、上記第１表面１００ａが上記本体の外表面であり、上記第２表面１００ｂが上記フレキシブル本体１００の内表面であり、上記心拍センサ５１０が上記フレキシブル本体１００の上記第２表面１００ｂに設けられる。
【００１６】
図５〜図８を参照すると、図５は、本発明の一つの好ましい実施形態のフレキシブルウェアラブルデバイスのフレキシブル本体が平に展開する状態にある構造概略図であり、図６は、図５におけるＩ部分の拡大概略図であり、図７は、本発明の一つの好ましい実施形態のフレキシブルウェアラブルデバイスのフレキシブル本体が装着状態にある構造概略図であり、図８は、図５におけるＩＩ部分の拡大概略図である。本実施形態において、上記フレキシブル本体１００は、対向するように設けられる第１表面１００ａ及び第２表面１００ｂを含む。上記フレキシブル本体１００は装着状態にある時、上記第１表面１００ａが上記本体の外表面であり、上記第２表面１００ｂが上記フレキシブル本体１００の内表面である。上記フレキシブル本体１００は、互いにヒンジ接続される複数のヒンジ接続体５２１を含み、各ヒンジ接続体５２１は、隣接するヒンジ接続体５２１に対向してかつ上記第２表面１００ｂに近接する少なくとも１つの傾斜面５２１ａを含む。上記センサ５００は、上記傾斜面５２１ａに設けられる複数の弾性体５２２を含む。各弾性体５２２は、上記フレキシブル本体１００が装着状態にある時、隣接するヒンジ接続体５２１と接触する。各弾性体５２２は、上記フレキシブル本体１００が平に展開する状態にある時、隣接するヒンジ接続体５２１との間に間隔がある。上記センサ５００は、上記弾性体５２２を介して、上記フレキシブル本体１００が平に展開する状態にあるか、装着状態にあるかを感知する。
【００１７】
図９及び図１０を参照すると、図９は、本発明の一つの好ましい実施形態のセンサが圧電変換器を含むフレキシブルウェアラブルデバイスの構造概略図であり、図１０は、本発明の一つの好ましい実施形態のセンサが圧電変換器を含むフレキシブルウェアラブルデバイスが装着状態にある構造概略図である。本実施形態において、上記センサ５００は、上記フレキシブル本体１００に設けられる圧電変換器５２０を含む。上記圧電変換器５２０によって感知された圧力が予め設定した圧力以上である時、上記フレキシブル本体１００は装着状態にあり、上記圧電変換器５２０によって感知された圧力が上記予め設定した圧力未満である時、上記フレキシブル本体１００は平に展開する状態にある。好ましくは、上記圧電変換器５２０は、上記フレキシブル本体１００が装着状態及び平に展開する状態が変化する時に変形する部位に設けられる。本実施形態において、上記圧電変換器５２０は、上記フレキシブル本体１００の中央部に設けられる。上記フレキシブル本体１００が装着状態にある時、上記フレキシブル本体１００の中央部の圧力変化は最も大きいが、上記フレキシブル本体１００の第１端部１１０及び第２端部１２０の圧力変化は最も小さい。上記圧電変換器５２０は、圧力を感知する時に上記圧電変換器５２０の感度を高めるために、上記フレキシブル本体１００の中央部に設けられる。別の実施形態において、上記フレキシブル本体１００は、２つの切断される部分に分けることができ、上記圧電変換器５２０は、２つの切断される部分の間に設けられ、上記フレキシブル本体１００の２つの切断される部分に接続される。
【００１８】
図１１及び図１２を参照すると、図１１は、本発明の一つの好ましい実施形態のセンサが薄膜抵抗を含むフレキシブルウェアラブルデバイスが平に展開する状態にある構造概略図であり、図１２は、本発明の一つの好ましい実施形態のセンサが薄膜抵抗を含むフレキシブルウェアラブルデバイスが装着状態にある構造概略図である。上記センサ５００は、上記フレキシブル本体１００に設けられる薄膜抵抗５４０を含む。上記薄膜抵抗５４０の抵抗値の変化が予め設定した閾値以上である時、上記フレキシブル本体１００は装着状態にあり、上記薄膜抵抗５４０の抵抗値の変化が上記予め設定した閾値未満である時、上記フレキシブル本体１００は平に展開する状態にある。本実施形態において、上記フレキシブル本体１００は、対向するように設けられる第１表面１００ａ及び第２表面１００ｂを含む。上記フレキシブル本体１００は装着状態にある時、上記第１表面１００ａが上記フレキシブル本体１００の外表面であり、上記第２表面１００ｂが上記フレキシブル本体１００の内表面である。上記薄膜抵抗５４０は、上記装着状態及び上記平に展開する状態が状態変化する時に上記第１表面１００ａが変形する部位に設けられる。本実施形態において、上記薄膜抵抗５４０は、上記第１表面１００ａの中央部に設けられる。上記薄膜抵抗５４０は変形が生じる時、抵抗値の変化を引き起こす。上記フレキシブル本体１００は変化が生じる時、上記フレキシブル本体１００の中央部の変形量は、上記フレキシブル本体１００の２つの端部の変形量よりも大きい。また、上記フレキシブル本体１００の中央部に対して、上記フレキシブル本体１００の第１表面１００ａの中央部の変形量は、上記フレキシブル本体１００の第２表面１００ｂの変形量よりも大きい。そのため、上記薄膜抵抗５４０は、抵抗値を感知する時に上記薄膜抵抗５４０の感度を高めるために、上記フレキシブル本体１００の第１表面１００ａの中央部に設けられる。
【００１９】
図１３及び図１４を参照すると、図１３は、本発明の一つの好ましい実施形態のセンサが変位センサを含むフレキシブルウェアラブルデバイスが平に展開する状態にある構造概略図であり、図１４は、本発明の一つの好ましい実施形態のセンサが変位センサを含むフレキシブルウェアラブルデバイスが装着状態にある構造概略図である。本実施形態において、上記フレキシブル本体１００は、対向するように設けられる第１表面１００ａ及び第２表面１００ｂを含む。上記フレキシブル本体１００は装着状態にある時、上記第１表面１００ａが上記フレキシブル本体１００の外表面であり、上記第２表面１００ｂが上記フレキシブル本体１００の内表面である。上記センサ５００は変位センサ５５０を含む。上記変位センサは、上記第２表面１００ｂに対する上記第１表面１００の変位量を感知するように構成される。上記変位センサ５５０は、リール５５１と、スケーリング部５５２と、センシング部５５３とを含む。上記リール５５１は、上記フレキシブル本体１００の端部に設けられる。上記スケーリング部５５２の一部分は、上記第１表面１００ａに巻かれており、上記スケーリング部５５２の他部分は、上記フレキシブル本体１００の変形に伴って上記リール５５１に巻かれ又は上記リール５５１から展開される。図１３及び図１４において、上記リール５５１は上記フレキシブル本体１００の第１端部１１０に設けられる。上記センシング部５５３は、上記スケーリング部５５２がリール５５１から展開される長さを感知するように構成される。当該長さが予め設定した長さ以上である時、上記フレキシブル本体１００は装着状態にある。当該長さが上記予め設定した長さ未満である時、上記フレキシブル本体１００は平に展開する状態にある。
【００２０】
従来技術に比べて、本発明のフレキシブルウェアラブルデバイス１０は、フレキシブル本体１００と、スピーカ３００と、イヤピース４００と、センサ５００と、制御ユニット６００とを含む。上記フレキシブル本体１００は、それ自身の曲げ角度が予め設定した角度以上の時の装着状態と、それ自身の曲げ角度が上記予め設定した角度未満の時の平に展開する状態との二つの状態にあり得る。上記センサ５００が上記装着状態を感知する時、上記制御ユニット６００は、上記スピーカ３００をオンにしまたはデフォルトの発音装置とするように制御する。上記センサ５００が上記平に展開する状態を感知する時、上記制御ユニット６００は、上記イヤピース４００をオンにしまたはデフォルトの発音装置とするように制御しながら、上記スピーカ３００をオフにするように制御する。このように、上記フレキシブル本体１００が装着状態にある時、上記スピーカ３００は、比較的高いデシベルレベルで音声を出力するので、ユーザが上記フレキシブルウェアラブルデバイスを使用する時、上記フレキシブルウェアラブルデバイス１０を耳の傍に置く必要せず、頻繁に上記フレキシブルウェアラブルデバイスを移動させる必要がないため、比較的に使用しやすい。さらに、上記イヤピース４００をオフにするため、上記イヤピース４００が上記フレキシブルウェアラブルデバイス１０の他の電子素子への干渉をさらに低減させて、通信中の上記フレキシブルウェアラブルデバイスの通話品質を改善させる。
【００２１】
上記の実施形態の説明を通して、当業者は、本発明がソフトウェア及び必要なハードウェアプラットフォームによって実現でき、ハードウェアによって完全に実施できることを明らかに理解することができる。このような理解を基づいて、背景技術に寄与する本発明の技術的手段の全部または一部をソフトウェア製品の形態で具体化することができる。当該コンピュータソフトウェア製品は、記憶媒体に記憶され得、若干のインストラクションを含むことにより、電子装置（ＰＡＤ、携帯電話、イヤホン、ウェアラブルデバイスなどを含む）が本発明の各実施形態または実施形態のいくつかの部分に記載される方法を実行する。
【００２２】
最後、説明すべきであることは、上述の実施形態は、本発明を限定するものではなく、本発明の技術的手段を説明するためのものに過ぎないことである。本発明は、上述の実施形態を参照しながら詳細に説明するにもかかわらず、当業者は、本発明の保護の範囲がこれに限定されないことを理解すべきであるが、本発明で開示された技術的範囲内に当業者によって容易に想定される変化または置換は、本発明の保護の範囲内にあるものとする。したがって、本発明の保護の範囲は、特許請求の範囲の保護の範囲に基づくべきである
【図１】
2019508782.tif 000003
【図２】
2019508782.tif 000004
【図３】
2019508782.tif 000005
【図４】
2019508782.tif 000006
【図５】
2019508782.tif 000007
【図６】
2019508782.tif 000008
【図７】
2019508782.tif 000009
【図８】
2019508782.tif 000010
【図９】
2019508782.tif 000011
【図１０】
2019508782.tif 000012
【図１１】
2019508782.tif 000013
【図１２】
2019508782.tif 000014
【図１３】
2019508782.tif 000015
【図１４】
2019508782.tif 000016
【国際調査報告】
2019508782.tif 000017
2019508782.tif 000018
2019508782.tif 000019
2019508782.tif 000020
2019508782.tif 000021
2019508782.tif 000022